(57)【特許請求の範囲】
【請求項１】
画像形成装置本体の外部に設けられて相互に着脱可能とされた複数の装着装置を備える画像形成装置であって、
前記複数の装着装置のそれぞれにおける少なくとも一部を覆う開閉カバー部材を備え、
前記開閉カバー部材は、単一の開閉カバー部材であり、前記複数の装着装置のそれぞれに対して一体で開閉することを特徴とする画像形成装置。
【請求項２】
請求項１に記載の画像形成装置であって、
前記開閉カバー部材には、前記複数の装着装置のうち少なくとも一つの装着装置を構成する複数の構成装置の隣り合う構成装置間における少なくとも一つの境界の位置に該境界に沿って延びる凹部が設けられていることを特徴とする画像形成装置。
【請求項３】
画像形成装置本体の外部に設けられて相互に着脱可能とされた複数の装着装置を備える画像形成装置であって、
前記複数の装着装置のそれぞれにおける少なくとも一部を覆う開閉カバー部材を備え、
前記開閉カバー部材は、前記複数の装着装置のそれぞれに対して一体で開閉し、
前記開閉カバー部材には、前記複数の装着装置のうち少なくとも一つの装着装置を構成する複数の構成装置の隣り合う構成装置間における少なくとも一つの境界の位置に該境界に沿って延びる凹部が設けられていることを特徴とする画像形成装置。
【請求項４】
請求項３に記載の画像形成装置であって、
前記開閉カバー部材は、前記複数の装着装置のうち少なくとも二つの装着装置にそれぞれ対応する開閉部材を連結部材によって着脱可能に互いに連結した連結開閉部材を含むことを特徴とする画像形成装置。
【請求項５】
請求項４に記載の画像形成装置であって、
前記開閉カバー部材の開閉を検知するための開閉検知装置に検知される被検知部を備え、
前記被検知部は、前記複数の開閉部材のうち、前記開閉カバー部材の開閉支軸が設けられた開閉部材に設けられていることを特徴とする画像形成装置。
【請求項６】
請求項４又は請求項５に記載の画像形成装置であって、
前記開閉カバー部材の開放するために把持する把持部を備え、
前記把持部は、前記複数の開閉部材のうち、少なくとも前記開閉カバー部材の開閉支軸が設けられた開閉部材に設けられていることを特徴とする画像形成装置。
【請求項７】
請求項１から請求項６までの何れか１項に記載の画像形成装置であって、
前記複数の装着装置は、記録シートを搬送するシート搬送路をそれぞれ備え、
前記複数の装着装置のうち、一の装着装置の前記シート搬送路と、該一の装着装置に装着された他の装着装置の前記シート搬送路とが連通されており、
前記開閉カバー部材が開閉する部分は、前記複数の装着装置における前記シート搬送路の部分を含むことを特徴とする画像形成装置。
【請求項８】
請求項１から請求項７までの何れか１項に記載の画像形成装置であって、
前記複数の装着装置のうち少なくとも一つの装着装置は、必要に応じて用いられる当該画像形成装置の付属部材を収納する収納空間を備え、
前記開閉カバー部材が開閉する部分は、前記収納空間の部分を含むことを特徴とする画像形成装置。
【請求項９】
請求項１から請求項８までの何れか１項に記載の画像形成装置であって、
前記開閉カバー部材の開閉支軸は、開閉操作により前記開閉カバー部材の前記画像形成装置本体側が開閉するように設けられていることを特徴とする画像形成装置。
【請求項１０】
請求項１から請求項９までの何れか１項に記載の画像形成装置であって、
前記複数の装着装置のうち少なくとも一つの装着装置の一部を開閉不能に覆う固定カバー部材を備え、
前記開閉カバー部材は、前記固定カバー部材の部分を切り欠いた構成とされていることを特徴とする画像形成装置。
【発明の詳細な説明】
【技術分野】
【０００１】
本発明は、複写機やプリンタ等の画像形成装置、特に、画像形成装置本体の外部に設けられて相互に着脱可能とされた複数の装着装置を備える画像形成装置に関する。
【背景技術】
【０００２】
複写機やプリンタ等の画像形成装置は、相互に着脱可能とされた複数の装着装置（例えば、１段又は多段の大容量給紙装置、中継装置、フィニッシャー装置、デカーラ装置、パンチ装置、インサータ装置、ステープラ装置などの装着装置）が画像形成装置本体の外部に装着されることがある。例えば、画像形成装置は、画像形成装置本体の外側に第１装着装置が装着され、第１装着装置のさらに外側に第２装置が装着される。
【０００３】
このような従来の画像形成装置においては、複数の装着装置に対してそれぞれ開閉カバー部材が設けられるが、そうすると、複数の装着装置に対して異常動作の解除作業（例えばジャム処理）や点検作業（部品清掃や交換）を行う上でユーザ等の作業者がそれぞれの開閉カバー部材を開閉させる必要があることから、手間がかかってしまうといった不都合があった。特に、特許文献１に記載したような構成では、一つの装着装置において二つの開閉カバー部材（第１及び第２のカバー）を設けるので、異常動作の解除作業や点検作業を行うにあたって、一つの装着装置において二つの開閉カバー部材に対してそれぞれ開閉操作を行う必要があり、それだけ開閉操作に手間がかかる。
【先行技術文献】
【特許文献】
【０００４】
【特許文献１】特開２００６−２５１３４４号公報
【発明の概要】
【発明が解決しようとする課題】
【０００５】
そこで、本発明は、画像形成装置本体の外部に設けられて相互に着脱可能とされた複数の装着装置を備える画像形成装置であって、異常動作の解除作業及び／又は点検作業を行うにあたって、開閉カバー部材の開閉操作を容易に行うことができる画像形成装置を提供することを目的とする。
【課題を解決するための手段】
【０００６】
本発明は、前記課題を解決するために、次の第１態様及び第２態様の画像形成装置を提供する。
（１）第１態様の画像形成装置
本発明に係る第１態様の画像形成装置は、画像形成装置本体の外部に設けられて相互に着脱可能とされた複数の装着装置を備える画像形成装置であって、前記複数の装着装置のそれぞれにおける少なくとも一部を覆う開閉カバー部材を備え、前記開閉カバー部材は、単一の開閉カバー部材であり、前記複数の装着装置のそれぞれに対して一体で開閉することを特徴とする。
（２）第２態様の画像形成装置
本発明に係る第２態様の画像形成装置は、画像形成装置本体の外部に設けられて相互に着脱可能とされた複数の装着装置を備える画像形成装置であって、前記複数の装着装置のそれぞれにおける少なくとも一部を覆う開閉カバー部材を備え、前記開閉カバー部材は、前記複数の装着装置のそれぞれに対して一体で開閉し、前記開閉カバー部材には、前記複数の装着装置のうち少なくとも一つの装着装置を構成する複数の構成装置の隣り合う構成装置間における少なくとも一つの境界の位置に該境界に沿って延びる凹部が設けられていることを特徴とする。
【０００７】
本発明に係る第１態様及び第２態様の画像形成装置によれば、前記複数の装着装置のそれぞれにおける少なくとも一部を覆う前記開閉カバー部材は、前記複数の装着装置のそれぞれに対して一体で開閉するので、１回の開操作で前記開閉カバー部材を同時に開放させる一方、１回の閉じ操作で前記開閉カバー部材を同時に閉じさせることができる。従って、異常動作の解除作業及び／又は点検作業を行うにあたって、前記開閉カバー部材の開閉操作を容易に行うことができる。
【０００８】
しかも、前記第１態様の画像形成装置では、前記開閉カバー部材は、単一の開閉カバー部材であるので、前記開閉カバー部材を構造簡単でかつ安価な開閉カバー部材とすることができる。
【０００９】
また、前記第２態様の画像形成装置では、前記凹部によって、少なくとも一つの前記装着装置を構成する複数の構成装置の隣り合う構成装置間における少なくとも一つの境界に対して見栄えをよくすることができる。
【００１０】
本発明に係る第１態様の画像形成装置において、前記開閉カバー部材には、前記複数の装着装置のうち少なくとも一つの装着装置を構成する複数の構成装置の隣り合う構成装置における少なくとも一つの境界の位置に該境界に沿って延びる凹部が設けられている態様を例示できる。
【００１１】
この特定事項では、前記凹部によって、少なくとも一つの前記装着装置を構成する複数の構成装置の隣り合う構成装置間における少なくとも一つの境界に対して見栄えをよくすることができる。
【００１２】
本発明に係る第２態様の画像形成装置において、前記開閉カバー部材は、前記複数の装着装置のうち少なくとも二つの装着装置にそれぞれ対応する開閉部材を連結部材によって着脱可能に互いに連結した連結開閉部材を含む態様を例示できる。
【００１３】
この特定事項では、前記開閉カバー部材は、前記開閉部材を前記連結部材によって着脱可能に互いに連結した前記連結開閉部材を含むので、たとえ前記複数の装着装置から一つの装着装置を残して少なくとも一つの前記装着装置が取り除かれたとしても、取り除かれた少なくとも一つの前記装着装置に対応する前記開閉部材を前記開閉カバー部材から容易に取り除くことができる。これにより、取り除くべき前記装着装置が取り除かれる毎に、残った前記装着装置の形状に合わせて残った前記装着装置を覆う開閉カバーを用意する必要がなく、取り除くべき開閉部材が取り除かれた前記開閉カバー部材を用いることにより、取り除くべき前記装着装置が取り除かれる毎に、残った前記装着装置の形状に合わせて残った前記装着装置を覆うことができる。
【００１４】
本発明に係る第２態様の画像形成装置において、前記開閉カバー部材の開閉を検知するための開閉検知装置に検知される被検知部を備え、前記被検知部は、前記複数の開閉部材のうち、前記開閉カバー部材の開閉支軸が設けられた開閉部材に設けられている態様を例示できる。
【００１５】
この特定事項では、前記被検知部は、前記複数の開閉部材のうち、前記開閉カバー部材の前記開閉支軸が設けられた前記開閉部材に設けられているので、少なくとも二つの前記装着装置のうち、前記開閉カバー部材の開閉支軸が設けられた前記開閉部材に対応する装着装置を除いた少なくとも一つの前記装着装置が取り除かれたとしても、前記開閉カバー部材の開閉を検知することができる。
【００１６】
本発明に係る第２態様の画像形成装置において、前記開閉カバー部材の開放するために把持する把持部を備え、前記把持部は、前記複数の開閉部材のうち、少なくとも前記開閉カバー部材の開閉支軸が設けられた開閉部材に設けられている態様を例示できる。
【００１７】
この特定事項では、前記把持部は、前記複数の開閉部材のうち、少なくとも前記開閉カバー部材の前記開閉支軸が設けられた前記開閉部材に設けられているので、少なくとも二つの前記装着装置のうち、前記開閉カバー部材の開閉支軸が設けられた前記開閉部材に対応する装着装置を除いた少なくとも一つの前記装着装置が取り除かれたとしても、前記開閉カバー部材を確実に把持することができる。
【００１８】
本発明に係る第１態様及び第２態様の画像形成装置において、前記複数の装着装置は、記録シートを搬送するシート搬送路をそれぞれ備え、前記複数の装着装置のうち、一の装着装置の前記シート搬送路と、該一の装着装置に装着された他の装着装置の前記シート搬送路とが連通されており、前記開閉カバー部材が開閉する部分は、前記複数の装着装置における前記シート搬送路の部分を含む態様を例示できる。
【００１９】
この特定事項では、前記開閉カバー部材が開閉する部分は、前記複数の装着装置における前記シート搬送路の部分を含むので、前記シート搬送路に関連する異常動作の解除作業（具体的には前記シート搬送路上で詰まった記録シートを除去する作業）及び／又は点検作業（具体的には前記シート搬送路における搬送ローラ等の清掃や交換）を行うにあたって、前記開閉カバー部材の開閉操作を容易に行うことができる。
【００２０】
本発明に係る第１態様及び第２態様の画像形成装置において、前記複数の装着装置のうち少なくとも一つの装着装置は、必要に応じて用いられる当該画像形成装置の付属部材を収納する収納空間を備え、前記開閉カバー部材が開閉する部分は、前記収納空間の部分を含む態様を例示できる。
【００２１】
この特定事項では、前記少なくとも一つの装着装置は、前記収納空間を備え、前記開閉カバー部材が開閉する部分は、前記収納空間の部分を含むので、少なくとも一つの前記装着装置において使用されていない、空いたスペースを利用して前記収納空間を設けることができ、これにより、空いたスペースの有効利用を行うことができる。
【００２２】
本発明に係る第１態様及び第２態様の画像形成装置において、前記開閉カバー部材の開閉支軸は、開閉操作により前記開閉カバー部材の前記画像形成装置本体側が開閉するように設けられている態様を例示できる。
【００２３】
この特定事項では、前記開閉カバー部材の開閉支軸が前記開閉操作により前記開閉カバー部材の前記画像形成装置本体側が開閉するように設けられているので、画像形成を行うにあたって前記画像形成装置本体の近くにいることが多い作業者に対して前記開閉操作を容易に行わせることができる。
【００２４】
本発明に係る第１態様及び第２態様の画像形成装置において、前記複数の装着装置のうち少なくとも一つの装着装置の一部を開閉不能に覆う固定カバー部材を備え、前記開閉カバー部材は、前記固定カバー部材の部分を切り欠いた構成とされている態様を例示できる。
【００２５】
この特定事項では、前記固定カバー部材と前記開閉カバー部材とを外見上一つのカバー部材として見せることができる。
【発明の効果】
【００２６】
以上説明したように、本発明によると、画像形成装置本体の外部に設けられて相互に着脱可能とされた複数の装着装置を備える画像形成装置であって、異常動作の解除作業及び／又は点検作業を行うにあたって、前記開閉カバー部材の開閉操作を容易に行うことが可能となる。
【図面の簡単な説明】
【００２７】
【図１】画像形成装置の概観を示す概略正面図である。
【図２】画像形成装置における画像形成装置本体部分の構成要素を透視して示す概略正面図である。
【図３】画像形成装置における第１装着装置及び第２装着装置部分の構成要素を透視して示す概略正面図である。
【図４】図１に示す画像形成装置において画像形成装置本体、第１装着装置及び第２装着装置が互いに離脱されて開閉カバー部材が取り外された状態の概観を示す概略正面図である。
【図５】開閉カバー部材を構成する第１開閉部材及び第２開閉部材並びに連結部材を裏側から視た概略背面図である。
【図６】開閉検知装置の開閉カバー部材における被検知部によりオン又はオフされる状態を示す概略側面図である。
【図７】開閉カバー部材における第１開閉部材及び第２開閉部材にそれぞれ設けられた把持部を幅方向の一方側から視た概略断面図である。
【図８】開閉カバー部材の他の例を示す概略正面図であって、開閉カバー部材の開閉支軸が幅方向における他方側（画像形成装置本体側）の端部に設けられている例を示す図である。
【図９】開閉カバー部材のさらに他の例を示す概略正面図であって、（ａ）は、四角形状とされた開閉カバー部材の開閉支軸が幅方向の一方側（画像形成装置本体とは反対側）の端部に設けられた例を示す図であり、（ｂ）は、四角形状とされた開閉カバー部材の開閉支軸が幅方向の他方側（画像形成装置本体側）の端部に設けられた例を示す図である。
【発明を実施するための形態】
【００２８】
以下、本発明に係る実施の形態について図面を参照しながら説明する。なお、以下に示す実施の形態は、本発明を具体化した例であって、本発明の技術的範囲を限定する性格のものではない。
【００２９】
［画像形成装置の全体構成について］
図１は、画像形成装置１００の概観を示す概略正面図である。また、図２は、画像形成装置１００における画像形成装置本体１１０部分の構成要素を透視して示す概略正面図である。
【００３０】
図１に示す画像形成装置１００は、パーソナルコンピュータ等の画像処理装置（図示省略）、又は、原稿画像を読み取る画像読取装置２に接続された高速印刷用プリンタとして機能するようになっている。画像形成装置１００では、画像読取部２０から出力された画像データ、又は、外部から受信した画像データに基づいて、記録用紙等の記録シートＰ（図２参照）に対してカラー又はモノクロの画像を形成する。
【００３１】
画像形成装置１００は、原稿Ｇ（図２参照）の画像を読み取って画像データを出力する画像読取部２０と、画像読取部２０から出力された画像データ、又は、外部から受信した画像データに基づいて記録シートＰ（図２参照）に画像を形成する画像形成部３と、画像形成部３へ記録シートＰを供給するシート供給部として作用する１又は複数（ここでは３つの）の給紙トレイ１２〜１２と、画像形成部３からの記録シートＰを排出するシート排出部（具体的には排出トレイ１３）とを備えている。
【００３２】
画像形成装置本体１１０は、操作部１２０（図１参照）及び画像形成部３を備えている。画像読取部２０は、画像形成装置本体１１０における上下方向Ｚの上部に設けられている。画像読取部２０は、原稿台（原稿台ガラス２１）（図２参照）に載置された原稿Ｇに対して光を照射してスキャナ部２０ａ（図２参照）を副走査方向に移動させるか、或いは、原稿Ｇを自動原稿送り装置３０によって副走査方向に搬送しつつ、原稿Ｇから反射した画像光を主走査方向（奥行き方向Ｘ）に読み取り、集光レンズ２５ａを介して読み取った画像光を光電変換部２５（図２参照）にて画像データとして電気信号に変換する。
【００３３】
操作部１２０は、画像形成装置本体１１０の正面側（操作側）における上部に設けられている。操作部１２０は、ユーザ等の操作者による指示操作、選択操作等の入力操作を受け付ける構成とされており、入力部１２１と、各種処理情報を表示する表示部（具体的には表示パネル）１２２とを備えている。画像形成部３は、画像読取部２０の下方に設けられている。画像形成部３は、画像読取部２０で原稿Ｇの画像光が読み取られて変換された画像データに基づいて画像を記録シートＰに形成する。
【００３４】
画像形成装置本体１１０の外部には、複数の装着装置（ここでは第１装着装置２１０及び第２装着装置２２０）が相互に着脱可能に接続されて一方向に直列に装着された装着装置群における一端部の装着装置（ここでは第１装着装置２１０）が装着されている。具体的には、装着装置群は、複数の装着装置が奥行き方向Ｘ及び上下方向Ｚの双方に直交する幅方向Ｙに数珠つなぎに（ひとつなぎに）列設されている。
【００３５】
（画像形成装置本体）
次に、図２を参照しながら、記録シートＰに画像を形成する画像形成動作の説明を行いながら画像形成装置本体１１０の内部構成を説明する。
【００３６】
画像読取装置２は、画像読取部２０と、画像読取部２０に対して開閉可能に取り付けられた自動原稿送り装置３０とを含んでいる。画像読取部２０は、原稿固定方式による読み取りと、原稿移動方式による読み取りとを行う構成とされている。
【００３７】
画像読取部２０では、原稿固定方式による読取時には、光源ユニット２３及びミラーユニット２４を副走査方向に移動させながら、光源ユニット２３から光が出射される。このとき、光源ユニット２３から出射される光は、原稿台ガラス２１を介して原稿台ガラス２１上に載置される原稿Ｇに照射される。また、原稿移動方式による読取時には、光源ユニット２３を読取位置（図２に示す位置）に停止させた状態で、光源ユニット２３から光が出射される。このとき、光源ユニット２３から出射される光は、原稿読取ガラス２２を介して原稿読取ガラス２２上に搬送される原稿Ｇに照射される。
【００３８】
自動原稿送り装置３０では、原稿移動方式による読取時に、ピックアップローラ３４により、原稿トレイ３１に載置される原稿Ｇが原稿トレイ３１から搬送される。そして、原稿トレイ３１から搬送された原稿Ｇは分離部材３５ａ，３５ｂにより分離され、これにより、１枚ずつ搬送路３３ａに搬送され、搬送ローラ対３６を経て読取位置を通過する。読取位置を通過した原稿Ｇは、ここで画像読取部２０により表面の画像が読み取られる。
【００３９】
そして、原稿Ｇの表面のみが読み取られる場合には、排出ローラ対３７により原稿Ｇが排出トレイ３２へ排出される。一方、原稿Ｇの両面が読み取られる場合には、原稿Ｇが搬送路３３ｂを介して読取位置の上流側へ搬送される。これにより、画像読取部２０により原稿Ｇの裏面の画像が読み取られる。
【００４０】
画像形成部３は、感光体ドラム４〜４と、帯電器５〜５と、露光装置６と、現像装置７〜７と、クリーナ装置８〜８と、中間転写ローラ９ａ〜９ａを有する中間転写ベルト装置９と、２次転写装置１０と、定着装置１１と、給紙トレイ１２〜１２と、排出トレイ１３と、シート搬送装置１４とを備えている。
【００４１】
画像形成部３は、ブラック（Ｋ）、シアン（Ｃ）、マゼンタ（Ｍ）、イエロー（Ｙ）の各色を用いたカラー画像と、単色（たとえば、ブラック）を用いたモノクロ画像とを形成する構成とされている。具体的には、画像形成部３は、ブラックを形成する画像形成ステーション、シアンを形成する画像形成ステーション、マゼンタを形成する画像形成ステーション、及び、イエローを形成する画像形成ステーションにより構成されている。
【００４２】
感光体ドラム４〜４は、表面に光感光層を有している。帯電器５〜５は、感光体ドラム４〜４の表面を所定の電位に均一に帯電させる。
【００４３】
露光装置６は、例えば、レーザダイオード及び反射ミラーを含むレーザスキャニングユニットであり、一様に帯電された感光体ドラム４〜４の表面を画像データに応じて露光して、その表面に画像データに応じた静電潜像を形成する。
【００４４】
現像装置７〜７は、感光体ドラム４〜４上に形成された静電潜像をＫ、Ｃ、Ｍ、Ｙのトナーにより現像する。クリーナ装置８〜８は、現像及び画像転写後に記録シートＰに転写されるに感光体ドラム４〜４の表面に残留したトナーを除去及び回収する。
【００４５】
中間転写ベルト装置９は、感光体ドラム４〜４の上方に配置されており、無端ベルト状の中間転写ベルト９ｂと、中間転写ベルト駆動ローラ９ｃと、従動ローラ９ｄと、テンションローラ９ｅと、中間転写ベルトクリーニング装置９ｆとを備えている。中間転写ローラ９ａ〜９ａ、中間転写ベルト駆動ローラ９ｃ、従動ローラ９ｄ及びテンションローラ９ｅは、中間転写ベルト９ｂを張架して支持し、中間転写ベルト９ｂを周回方向Ｃに移動させる。中間転写ベルト９ｂには、感光体ドラム４〜４の表面のトナー像が順次重ねて転写されることにより、カラーのトナー像（各色のトナー像）が形成される。感光体ドラム４〜４から中間転写ベルト９ｂへのトナー像の転写は、中間転写ベルト９ｂの内側（裏面）に圧接されている中間転写ローラ９ａ〜９ａによって行われる。２次転写装置１０は、中間転写ベルト９ｂと接触する転写ローラ１０ａを有している。
【００４６】
画像形成装置本体１１０において、感光体ドラム４〜４の表面に形成されたトナー像は、中間転写ベルト９ｂで積層され、画像データに応じたカラーのトナー像とされる。こうして積層された各色のトナー像は、中間転写ベルト９ｂと共に搬送され、２次転写装置１０によって記録シートＰ上に転写される。中間転写ベルトクリーニング装置９ｆは、中間転写ベルト９ｂ上における残留トナーを除去および回収する。
【００４７】
定着装置１１は、記録シートＰを挟み込んで搬送するヒートローラ１１ａ及び加圧ローラ１１ｂを有している。ヒートローラ１１ａは、所定の定着温度となるように温度制御され、加圧ローラ１１ｂと共に記録シートＰを定着ニップ部で熱圧着することにより、記録シートＰに転写されたトナー像を溶融、混合、圧接し、記録シートＰに対して熱定着させる機能を有している。また、定着装置１１には、ヒートローラ１１ａを外部から加熱するための外部加熱ベルト１１ｃが設けられている。
【００４８】
給紙トレイ１２〜１２は、記録シートＰを格納しておくためのトレイであり、排出トレイ１３は、印刷済みの記録シートＰをフェイスダウンで載置するためのトレイである。
【００４９】
シート搬送装置１４は、記録シートＰを給紙トレイ１２〜１２から２次転写装置１０や定着装置１１を経由させて排出トレイ１３に送ることができるように設けられている。シート搬送装置１４では、給紙トレイ１２〜１２からシート搬送路Ｓに沿って、ピックアップローラ１４ａ〜１４ａ、分離ローラ対（１４ｂ，１４ｃ）〜（１４ｂ，１４ｃ）、搬送ローラ対１４ｄ、レジストローラ対１４ｅ及び排出ローラ対１４ｆが配設されている。
【００５０】
ピックアップローラ１４ａ〜１４ａは、給紙トレイ本体に収容された記録シートＰを１枚ずつシート搬送路Ｓに供給する呼び込みローラである。一方の分離ローラ１４ｂ〜１４ｂは、他方の分離ローラ１４ｃ〜１４ｃとの間に記録シートＰを通過させることにより、記録シートＰを１枚ずつ分離してシート搬送路Ｓへと搬送する。
【００５１】
搬送ローラ対１４ｄは、記録シートＰの搬送を促進補助するための小型のローラである。なお、搬送ローラ対１４ｄは、図２の例では１つだけ設けられているが、必要に応じて複数箇所に設けてもよい。
【００５２】
レジストローラ対１４ｅは、給紙トレイ１２〜１２から搬送されてきた記録シートＰを一旦停止させて、記録シートＰの先端を揃え、中間転写ベルト９ｂと転写ローラ１０ａとの間のニップ域で中間転写ベルト９ｂ上のカラーのトナー像が記録シートＰに転写されるように、中間転写ベルト９ｂの回転にあわせて、記録シートＰをタイミングよく搬送する。
【００５３】
シート搬送装置１４における各ローラは、図示を省略した制御部の指示の下、図示を省略した駆動系によって回転駆動されるようになっている。
【００５４】
トナー像が転写された記録シートＰは、ヒートローラ１１ａ及び加圧ローラ１１ｂにより、トナー像が記録シートＰに定着されながら搬送される。各色のトナー像が定着された記録シートＰは、排出ローラ対１４ｆによって排出トレイ１３に排出される。
【００５５】
なお、４つの画像形成ステーションのうち少なくとも一つを用いて、モノクロ画像を形成し、モノクロ画像を中間転写ベルト装置９の中間転写ベルト９ｂに転写することも可能である。このモノクロ画像も、カラー画像と同様に、中間転写ベルト９ｂから記録シートＰに転写され、記録シートＰ上に定着される。
【００５６】
また、記録シートＰの表（オモテ）面だけではなく、両面の画像形成を行う場合は、記録シートＰの表面の画像を定着装置１１により定着した後に、記録シートＰをシート搬送路Ｓの排出ローラ対１４ｆにより搬送する途中で、排出ローラ対１４ｆを停止させてから逆回転させ、搬送ローラ対１４ｇ〜１４ｇにより記録シートＰを表裏反転経路Ｓｒに通して、記録シートＰの表裏を反転させてから、記録シートＰを再びレジストローラ対１４ｅへと導き、記録シートＰの表面と同様に、記録シートＰの裏面にトナー像を転写して定着し、記録シートＰを排出トレイ１３に排出する。
【００５７】
また、本実施の形態では、シート搬送装置１４は、スライド搬送部１４１を有している。スライド搬送部１４１は、シート搬入口Ｈａを有しており、図示しないスライド部材によって画像形成装置本体１１０に対して幅方向Ｙにスライド自在（移動自在）に装着されている。スライド搬送部１４１は、２次転写装置１０、搬送ローラ対１４ｄ、レジストローラ対１４ｅ及び搬送ローラ対１４ｇ〜１４ｇが設けられた枠体（図示せず）を備え、この枠体が画像形成装置本体１１０に対して装着又は離脱するようにスライド移動させるようになっている。これにより、画像形成装置１００は、ユーザ等の作業者によるシート搬送路Ｓに関連する異常動作の解除作業（具体的にはシート搬送路Ｓ上で詰まった（ジャムした）記録シートＰを除去する作業）及び／又は点検作業（具体的にはシート搬送路Ｓにおける搬送ローラ対１４ｄ，１４ｇ〜１４ｇ等の清掃や交換）を容易に行うことができる。
【００５８】
なお、図１に示す第２装着装置２２０の上部に装着された手差し給紙装置２３０については、後述する。
【００５９】
次に、第１装着装置２１０及び第２装着装置２２０について図３から図７を参照しながら以下に説明する。
【００６０】
画像形成装置１００は、画像形成装置本体１１０へ記録シートＰを搬送する第１装着装置２１０が画像形成装置本体１１０の外側に装着され、第１装着装置２１０へ記録シートＰを搬送する第２装着装置２２０が記録シートＰの搬送方向において第１装着装置２１０の上流側に装着されている。
【００６１】
（第１装着装置）
図３は、画像形成装置１００における第１装着装置２１０及び第２装着装置２２０部分の構成要素を透視して示す概略正面図である。
【００６２】
第１装着装置２１０は、ここでは、第２装着装置２２０からの記録シートＰを画像形成装置本体１１０に搬送する中継装置（具体的には中継ユニット）とされている。第１装着装置２１０は、第２装着装置２２０からの記録シートＰを画像形成装置本体１１０へ搬送するシート搬送装置２１１を備えている。
【００６３】
シート搬送装置２１１は、第２装着装置２２０からの記録シートＰを画像形成装置本体１１０へ導くシート搬送路Ｓ１と、シート搬送路Ｓ１上に１対又は複数対（ここでは３対）設けられた搬送ローラ対（２１２，２１３）〜（２１２，２１３）と、搬送ローラ対（２１２，２１３）〜（２１２，２１３）のうち少なくとも一対における一方のローラ（この例では上側の搬送ローラ２１２〜２１２）が設けられて上側の搬送ローラ２１２〜２１２を他方のローラ（この例では下側の搬送ローラ２１３〜２１３）に対して離間（具体的には開閉）させる搬送ローラ部２１４を備えている。
【００６４】
詳しくは、シート搬送路Ｓ１は、幅方向Ｙに沿って直線状に形成されており、記録シートＰの搬送方向において上流側の端部がシート搬入口Ｈ１１とされ、かつ、下流側の端部がシート搬出口Ｈ１２とされている。
【００６５】
そして、シート搬送路Ｓ１のシート搬出口Ｈ１２が画像形成装置本体１１０のシート搬入口Ｈａ（図２参照）に連通している。
【００６６】
具体的には、シート搬送装置２１１は、搬送ローラ部２１４が第１装着装置本体２１０ａに対して開閉自在とされており、搬送ローラ部２１４が閉じ状態のときに上側の搬送ローラ２１２〜２１２が下側の搬送ローラ２１３〜２１３に接触し、かつ、搬送ローラ部２１４が開放状態のときに上側の搬送ローラ２１２〜２１２が下側の搬送ローラ２１３〜２１３から離間する構成とされている。
【００６７】
搬送ローラ部２１４は、シート搬送路Ｓ１において上側の搬送ローラ２１２〜２１２を奥行き方向Ｘに沿った回転軸線回りに回転自在に支持し、かつ、第１装着装置本体２１０ａの幅方向Ｙにおける一方側（この例では画像形成装置本体１１０側とは反対側）の端部において奥行き方向Ｘに沿って設けられた回動支点軸Ｗ１回り（回動方向Ｖ１１参照）に開閉自在とされている。これにより、画像形成装置１００は、ユーザ等の作業者によるシート搬送路Ｓ１に関連する異常動作の解除作業（具体的にはシート搬送路Ｓ１上で詰まった記録シートＰを除去する作業）及び／又は点検作業（具体的にはシート搬送路Ｓ１における搬送ローラ対（２１２，２１３）〜（２１２，２１３）等の清掃や交換）を容易に行うことができる。
【００６８】
なお、下側の搬送ローラ２１３〜２１３は、第１装着装置本体２１０ａに回転自在に支持され、図示を省略した制御部の指示の下、図示を省略した駆動系によって回転駆動されるようになっている。
【００６９】
また、第１装着装置２１０は、シート搬送路Ｓ１を境にして上側の第１空間Ｑ１１と、下側の第２空間Ｑ１２とを備えている。第１空間Ｑ１１は、シート搬送路Ｓ１と天板２１４ａと両側板２１４ｂ，２１４ｂと奥板２１４ｃとで囲まれている。第２空間Ｑ１２は、シート搬送路Ｓ１と底板２１５ａと両側板２１５ｂ，２１５ｂと奥板２１５ｃと固定カバー部材３２０とで囲まれている。
【００７０】
本実施の形態では、第１空間Ｑ１１は、画像形成装置本体１１０及び第１装着装置本体２１０ａにおいてユーザ等の作業者によるシート搬送路Ｓ，Ｓ１に関連する異常動作の解除作業及び／又は点検作業のために必要な空間とされている。具体的には、第１空間Ｑ１１は、画像形成装置本体１１０においてシート搬送装置１４におけるスライド搬送部１４１を画像形成装置本体１１０に対して幅方向Ｙにスライドさせるために必要な空間とされている。また、第１空間Ｑ１１は、シート搬送路Ｓ１における搬送ローラ部２１４を第１装着装置本体２１０ａに対して回動方向Ｖ１１に開閉させるために必要な空間とされている。
【００７１】
一方、第２空間Ｑ１２は、何も利用されることがない、単なる空きスペースとされている。よって、本実施の形態では、第２空間Ｑ１２は、固定カバー部材３２０によって開閉不能に覆われている。詳しくは、固定カバー部材３２０は、第１装着装置本体２１０ａ（具体的には本体フレーム）にビス等の固定部材によって取り外し可能に固定されている。
【００７２】
また、天板２１４ａは、画像形成装置本体１１０に対してスライド搬送部１４１（図２参照）を幅方向Ｙにスライドさせる際に邪魔になるという観点から、第１装着装置本体２１０ａの奥行き方向Ｘにおける一方側（この例では背面側、奥側）の端部において幅方向Ｙに沿って設けられた回動支点軸Ｗ２回り（回動方向Ｖ１２参照）に開閉自在とされている。
【００７３】
（第２装着装置）
第２装着装置２２０は、ここでは、第１装着装置２１０に記録シートＰを供給する１段又は多段（ここでは２段）の大容量給紙装置（具体的には大容量給紙カセット、ＬＣＣ：Ｌａｒｇｅ Ｃａｐａｃｉｔｙ Ｃａｓｓｅｔｔｅ）とされている。第２装着装置２２０は、記録シートＰの搬送方向において第１装着装置２１０の上流側に装着されている。第２装着装置２２０は、同種又は異なる複数種のサイズの記録シートＰを多量に収容可能とされている。第２装着装置２２０は、収容した記録シートＰを第１装着装置２１０へ搬送するシート搬送装置２２１と、下段において記録シートＰを収容してシート搬送装置２２１へ供給する第１シート収容装置２２１ａと、上段において記録シートＰを収容してシート搬送装置２２１へ供給する第２シート収容装置２２１ｂとを備えている。
【００７４】
シート搬送装置２２１は、第１シート収容装置２２１ａ又は第２シート収容装置２２１ｂからの記録シートＰを第１装着装置２１０へ導くシート搬送路Ｓ２と、シート搬送路Ｓ２上に複数対（ここでは３対）設けられた搬送ローラ対（２２２，２２３）〜（２２２，２２３）と、搬送ローラ対（２２２，２２３）〜（２２２，２２３）のうち少なくとも一対における一方のローラ（この例では上側又は左側の搬送ローラ２２２〜２２２）が設けられて上側又は左側の搬送ローラ２２２〜２２２を他方のローラ（この例では下側又は右側の搬送ローラ２２３〜２２３）に対して離間（具体的には開閉）させる搬送ローラ部２２４とを備えている。
【００７５】
詳しくは、第１シート収容装置２２１ａ及び第２シート収容装置２２１ｂは、ピックアップローラ２２７ａ，２２７ａ及び分離ローラ対（２２７ｂ，２２７ｃ），（２２７ｂ，２２７ｃ）をそれぞれ備えている。ピックアップローラ２２７ａ，２２７ａは、それぞれ、第１シート収容装置２２１ａ本体及び第２シート収容装置２２１ｂ本体に収容された記録シートＰを１枚ずつシート搬送路Ｓ２に供給する呼び込みローラである。一方の分離ローラ２２７ｂ，２２７ｂは、他方の分離ローラ２２７ｃ，２２７ｃとの間に記録シートＰを通過させることにより、記録シートＰを１枚ずつ分離してシート搬送路Ｓ２へと搬送する。
【００７６】
シート搬送路Ｓ２は、第１シート収容装置２２１ａからの記録シートＰを第１装着装置２１０におけるシート搬送路Ｓ１に導く第１シート搬送路Ｓ２１と、第２シート収容装置２２１ｂからの記録シートＰを第１シート搬送路Ｓ２１の途中部分に合流して第１シート搬送路Ｓ２１に導く第２シート搬送路Ｓ２２とを備えている。
【００７７】
第１シート搬送路Ｓ２１は、幅方向Ｙに沿って直線状に形成されており、記録シートＰの搬送方向において上流側の端部が第１シート搬入口Ｈ２１とされ、かつ、下流側の端部が第１シート搬出口Ｈ２２とされている。
【００７８】
第２シート搬送路Ｓ２２は、幅方向Ｙに沿って直線状に形成された状態から下方に直角又は略直角に屈曲して上下方向Ｚに沿って直線状に形成され、さらに、第１装着装置２１０側（図３の左側）に直角又は略直角に屈曲しており、記録シートＰの搬送方向において上流側の端部が第２シート搬入口Ｈ２３とされ、かつ、下流側の端部が第２シート搬出口Ｈ２４とされている。
【００７９】
本実施の形態では、画像形成装置１００は、第１装着装置２１０及び第２装着装置２２０に加えて、第２装着装置２２０に着脱可能に装着された手差し給紙装置２３０を備えている。よって、シート搬送路Ｓ２は、第１シート搬送路Ｓ２１及び第２シート搬送路Ｓ２２に加えて、手差し給紙装置２３０におけるシート搬送路Ｓ３のシート搬出口Ｈｂからの記録シートＰを第２シート搬送路Ｓ２２の途中部分に導く第３シート搬送路Ｓ２３を備えている。
【００８０】
第３シート搬送路Ｓ２３は、上下方向Ｚに沿って直線状に形成され状態から上部で手差し給紙装置２３０側に屈曲した形状に形成されており、記録シートＰの搬送方向において上流側の端部が第３シート搬入口Ｈ２５とされ、かつ、下流側の端部が第３シート搬出口Ｈ２６とされている。
【００８１】
そして、第３シート搬送路Ｓ２３の第３シート搬入口Ｈ２５が手差し給紙装置２３０のシート搬出口Ｈｂに連通し、かつ、第３シート搬出口Ｈ２６が第２シート搬送路Ｓ２２の記録シートＰの搬送方向における最も上流側の搬送ローラ対２２２，２２３と次に上流側の搬送ローラ対２２２，２２３との間の部分に連通している。また、第１シート搬送路Ｓ２１の第１シート搬入口Ｈ２１が第１シート収容装置２２１ａに設けられた分離ローラ対２２７ｂ，２２７ｃのニップ位置に臨み、かつ、第１シート搬出口Ｈ２２が第１装着装置２１０におけるシート搬送路Ｓ１のシート搬入口Ｈ１１に連通している。さらに、第２シート搬送路Ｓ２２の第２シート搬入口Ｈ２３が第２シート収容装置２２１ｂに設けられた分離ローラ対２２７ｂ，２２７ｃのニップ位置に臨み、かつ、第２シート搬出口Ｈ２４が第１シート搬送路Ｓ２１の記録シートＰの搬送方向における最も上流側の搬送ローラ対２２２，２２３と次に上流側の搬送ローラ対２２２，２２３との間の部分に連通している。
【００８２】
具体的には、搬送ローラ部２１４は、第１搬送ローラ部２２４ａ及び第２搬送ローラ部２２４ｄを備えている。シート搬送装置２２１は、第１搬送ローラ部２２４ａが第２装着装置本体２２０ａに対して開閉自在とされており、第１搬送ローラ部２２４ａが閉じ状態のときに上側の搬送ローラ２２２〜２２２が下側の搬送ローラ２２３〜２２３に接触し、かつ、第１搬送ローラ部２２４ａが開放状態のときに上側の搬送ローラ２２２〜２２２が下側の搬送ローラ２２３〜２２３から離間する構成とされている。また、シート搬送装置２２１は、第２搬送ローラ部２２４ｄが第２装着装置本体２２０ａに対して開閉自在とされており、第２搬送ローラ部２２４ｄが閉じ状態のときに左側の搬送ローラ２２２〜２２２が右側の搬送ローラ２２３〜２２３に接触し、かつ、第２搬送ローラ部２２４ｄが開放状態のときに左側の搬送ローラ２２２〜２２２が右側の搬送ローラ２２３〜２２３から離間する構成とされている。
【００８３】
第１搬送ローラ部２２４ａは、第１シート搬送路Ｓ２１において上側の搬送ローラ２２２〜２２２を奥行き方向Ｘに沿った回転軸線回り回転自在に支持し、かつ、第２装着装置本体２２０ａの奥行き方向Ｘにおける一方側（この例では背面側、奥側）の端部において幅方向Ｙに沿って設けられた回動支点軸Ｗ３回り（回動方向Ｖ２１参照）に開閉自在とされている。第２搬送ローラ部２２４ｄは、第２シート搬送路Ｓ２２において左側の搬送ローラ２２２〜２２２を奥行き方向Ｘに沿った回転軸線回り回転自在に支持し、かつ、第２装着装置本体２２０ａの奥行き方向Ｘにおける一方側（この例では背面側、奥側）の端部において上下方向Ｚに沿って設けられた回動支点軸Ｗ４回り（回動方向Ｖ２２参照）に開閉自在とされている。これにより、画像形成装置１００は、ユーザ等の作業者によるシート搬送路Ｓ２に関連する異常動作の解除作業（具体的にはシート搬送路Ｓ２上で詰まった記録シートＰを除去する作業）及び／又は点検作業（具体的にはシート搬送路Ｓ２における搬送ローラ対（２１２，２１３）〜（２１２，２１３）等の清掃や交換）を容易に行うことができる。
【００８４】
また、第２装着装置２２０は、最も上流側の搬送ローラ対２２２，２２３及び／又は分離ローラ対（２２７ｂ，２２７ｃ），（２２７ｂ，２２７ｃ）の部分で詰まった記録シートＰを除去しやすくするという観点から、駆動伝達機構（図示せず）を介して最も上流側の搬送ローラ対２２２，２２３及び分離ローラ対（２２７ｂ，２２７ｃ），（２２７ｂ，２２７ｃ）を連動させて手動で回転させる回転操作部材２２０ｂ，２２０ｂ（後述する図４参照）を備えている。これにより、画像形成装置１００は、ユーザ等の作業者によるシート搬送路Ｓ２に関連する異常動作の解除作業（具体的にはシート搬送路Ｓ２上で詰まった記録シートＰを除去する作業）を容易に行うことができる。
【００８５】
なお、下側又は右側の搬送ローラ２１３〜２１３は、第２装着装置本体２２０ａに回転自在に支持され、図示を省略した制御部の指示の下、図示を省略した駆動系によって回転駆動されるようになっている。
【００８６】
また、第２装着装置２２０は、第１シート搬送路Ｓ２１を境にして上側の第１空間Ｑ２１と、下側の第２空間Ｑ２２とを備えている。第１空間Ｑ２１は、第１シート搬送路Ｓ２１と天板２２４ｅと一方の側板２２４ｂと第２シート搬送路Ｓ２２と第３シート搬送路Ｓ２３と奥板２２４ｃとで囲まれている。第２空間Ｑ２２は、第１シート搬送路Ｓ２１と底板２２５ａと両側板２２５ｂ，２２５ｂと奥板２２５ｃとで囲まれている。
【００８７】
本実施の形態では、第１空間Ｑ２１は、第２装着装置本体２２０ａにおいてユーザ等の作業者によるシート搬送路Ｓ２に関連する異常動作の解除作業及び／又は点検作業のために必要な空間とされている。具体的には、第１空間Ｑ２１は、第１シート搬送路Ｓ２１における第１搬送ローラ部２２４ａ及び第２シート搬送路Ｓ２２における第２搬送ローラ部２２４ｄを第２装着装置本体２２０ａに対して回動方向Ｖ２１，Ｖ２２に開閉させるために必要な空間とされている。
【００８８】
一方、第２空間Ｑ２２は、必要に応じて用いられる画像形成装置１００の付属部材２３２を収納する収納空間とされている。
【００８９】
なお、第２空間Ｑ２２に収納される画像形成装置１００の付属部材２３２としては、例えば、手差し給紙装置２３０（図１も参照）に用いられる付属品等を挙げることができる。手差し給紙装置２３０に用いられる付属部材２３２は、ここでは、手差しトレイ２３１に載置される定形外用紙（例えばタブ紙）の後方への移動を規制する定形外用紙用の指示部材とされている。具体的には、手差し給紙装置２３０における手差しトレイ２３１には、通常の定型サイズ（例えばＡ４サイズ）の標準用紙の後方への移動を規制するために、標準用紙の後端の奥行き方向Ｘにおける一部（例えば中央部）を規制する標準用紙用の規制部材が設けられている。しかしながら、例えば、定形外用紙として、奥行き方向Ｘの一部がインデックス（見出し）用に後端から後方へはみ出したインデックス（見出し）部を有しているようなタブ紙が手差しトレイ２３１に載置される場合、インデックス（見出し）部の分だけ標準用紙用の規制部材を後方へずらしたとしても、標準用紙用の規制部材は標準用紙の後端の奥行き方向Ｘにおける一部を指示するものであるから、タブ紙のインデックス（見出し）部の奥行き方向Ｘにおける位置によっては、タブ紙のインデックス部と当接することができない場合がある。このため、手差しトレイ２３１には、必要に応じて（例えばタブ紙が手差しトレイ２３１に載置される場合には）、標準用紙用の規制部材に代えて、或いは、標準用紙用の規制部材に装着して、定形外用紙（例えばタブ紙）の後端の奥行き方向Ｘにおける全体を指示する定形外用紙用（例えばタブ紙用）の規制部材が設けられる。そして、定形外用紙（例えばタブ紙）用の規制部材は、必要がないときには（例えば標準用紙が手差しトレイ２３１に載置される場合には）、第２空間Ｑ２２に収納される。
【００９０】
（開閉カバー部材）
第１装着装置２１０におけるシート搬送装置２１１、第１空間Ｑ１１及び第２空間Ｑ１２並びに第２装着装置２２０におけるシート搬送装置２２１、第１空間Ｑ２１及び第２空間Ｑ２２は、開閉カバー部材３１０によって開閉可能に覆われる。
【００９１】
図４は、図１に示す画像形成装置１００において画像形成装置本体１１０、第１装着装置２１０及び第２装着装置２２０が互いに離脱されて開閉カバー部材３１０が取り外された状態の概観を示す概略正面図である。
【００９２】
図４に示すように、開閉カバー部材３１０（具体的には外装カバー部材）は、第１装着装置２１０及び第２装着装置２２０のそれぞれにおける少なくとも一部（ここでは第１装着装置２１０の全体及び第２装着装置２２０の一部）を覆うようになっており、第１装着装置２１０及び第２装着装置２２０のそれぞれに対して一体で開閉するようになっている。
【００９３】
また、本実施の形態では、開閉カバー部材３１０が開閉する部分は、第１装着装置２１０におけるシート搬送路Ｓ１並びに第２装着装置２２０におけるそれぞれのシート搬送路Ｓ２（具体的には第１シート搬送路Ｓ２１、第２シート搬送路Ｓ２２の一部及び第３シート搬送路Ｓ２３）の部分を含んでいる。
【００９４】
また、本実施の形態では、開閉カバー部材３１０が開閉する部分は、第２装着装置２２０における第２空間Ｑ２２の部分を含んでいる
また、本実施の形態では、開閉カバー部材３１０は、第１装着装置２１０及び第２装着装置２２０にそれぞれ対応する第１開閉部材３１１及び第２開閉部材３１２を連結部材３１４によって着脱可能に互いに連結した連結開閉部材３１３を含んでいる。これにより、開閉カバー部材３１０は、連結部材３１４による連結を解除することにより、第１開閉部材３１１と第２開閉部材３１２とで分割できるようになっている。
【００９５】
図４に示す開閉カバー部材３１０に設けられた把持部Ｒａ（Ｒ１ａ，Ｒ２ａ）、開閉支軸３１２ｃ，３１２ｃ、軸支持部２２６，２２６、凹部３１０ａ、固定カバー部材３２０の部分３１０ｂ及び境界Ｔについては、後述する。
【００９６】
図５は、開閉カバー部材３１０を構成する第１開閉部材３１１及び第２開閉部材３１２並びに連結部材３１４を裏側から視た概略背面図である。
【００９７】
図５に示すように、連結部材３１４は、固定部材（具体的にはビス）ＳＣａ〜ＳＣａ，ＳＣｂ〜ＳＣｂを介して第１開閉部材３１１及び第２開閉部材３１２を連結している。
【００９８】
具体的には、開閉カバー部材３１０は、板状の樹脂部材とされている。連結部材３１４は、板状の金属部材（具体的には板金）とされている。連結部材３１４には、幅方向Ｙの両側にそれぞれ複数（ここでは３個）の両側の固定部材ＳＣａ〜ＳＣａ，ＳＣｂ〜ＳＣｂを挿通するそれぞれ複数（ここでは３個）の貫通孔３１４ａ〜３１４ａ，３１４ｂ〜３１４ｂが設けられている。第１開閉部材３１１には、幅方向Ｙにおける第２開閉部材３１２との連結側（図５では左側）の端部において上下方向Ｚに沿って複数箇所（ここでは２箇所）の連結部３１１ａ，３１１ａが設けられている。複数の連結部３１１ａ，３１１ａには、連結部材３１４における一方側の複数の貫通孔３１４ａ〜３１４ａにそれぞれ対応する位置に、一方側の固定部材ＳＣａ〜ＳＣａと螺合する複数の螺合孔３１１ｂ〜３１１ｂが設けられている。第１開閉部材３１１と同様に、第２開閉部材３１２にも、幅方向Ｙにおける第１開閉部材３１１との連結側（図５では右側）の端部において上下方向Ｚに沿って複数箇所（ここでは２箇所）の連結部３１２ａ，３１２ａが設けられている。複数の連結部３１２ａ，３１２ａには、連結部材３１４における他方側の複数の貫通孔３１４ｂ〜３１４ｂにそれぞれ対応する位置に、他方側の固定部材ＳＣｂ〜ＳＣｂと螺合する複数の螺合孔３１２ｂ〜３１２ｂが設けられている。そして、第１開閉部材３１１及び第２開閉部材３１２は、両側の固定部材ＳＣａ〜ＳＣａ，ＳＣｂ〜ＳＣｂが連結部材３１４における両側の複数の貫通孔３１４ａ〜３１４ａ，３１４ｂ〜３１４ｂに挿通されて連結部（３１１ａ，３１１ａ），（３１２ａ，３１２ａ）における複数の螺合孔３１１ｂ〜３１１ｂ，３１２ｂ〜３１２ｂに螺合されることで、第１開閉部材３１１と第２開閉部材３１２とで単一の部材（１枚のカバー部材）のように連結されて連結開閉部材３１３を構成するようになっている。
【００９９】
なお、第１開閉部材３１１及び第２開閉部材３１２の少なくとも一方に第１開閉部材３１１と第２開閉部材３１２との相対位置の位置決めを行う位置決め部が設けられていてもよい。この位置決め部は、第１開閉部材３１１及び第２開閉部材３１２の少なくとも一方に設けられる突起部と、該突起部に対応して連結部材３１４に設けられる凹部又は貫通孔とで構成することができる。
【０１００】
また、本実施の形態では、画像形成装置１００は、開閉カバー部材３１０の開閉を検知するための開閉検知装置４００に検知される被検知部３１５を備えている。被検知部３１５は、第１開閉部材３１１及び第２開閉部材３１２のうち、開閉カバー部材３１０の１又は複数（ここでは２個）の開閉支軸３１２ｃ，３１２ｃが設けられた開閉部材（ここでは第２開閉部材３１２）に設けられている。
【０１０１】
本実施の形態では、開閉支軸３１２ｃ，３１２ｃは、開閉操作により開閉カバー部材３１０の画像形成装置本体１１０側が開閉するように設けられている。
【０１０２】
詳しくは、第２装着装置本体２２０ａ（具体的には本体フレーム）には、開閉カバー部材３１０における複数の開閉支軸３１２ｃ，３１２ｃをそれぞれ回動自在に支持する複数の軸支持部２２６，２２６が設けられている。
【０１０３】
具体的には、開閉支軸３１２ｃ，３１２ｃは、開閉カバー部材３１０の幅方向Ｙにおける第２装着装置２２０側の端部において上下方向Ｚの複数箇所（ここでは２箇所）に固定された固定部３１２ｄ，３１２ｄと、固定部３１２ｄ，３１２ｄから下方に突出した回動軸３１２ｅ，３１２ｅとを備えている。軸支持部２２６，２２６は、上下に設けられた第１シート収容装置２２１ａ及び第２シート収容装置２２１ｂにおいて開閉支軸３１２ｃ，３１２ｃに対応した箇所に固定された固定部２２６ａ，２２６ａと、固定部２２６ａ，２２６ａにおいて回動軸３１２ｅ，３１２ｅに対応して上下方向Ｚに沿って設けられた回動孔２２６ｂ，２２６ｂとを備えている。そして、開閉カバー部材３１０は、開閉支軸３１２ｃ，３１２ｃの回動軸３１２ｅ，３１２ｅが軸支持部２２６，２２６の回動孔２２６ｂ，２２６ｂに対して回転自在に挿通されることで、第２装着装置本体２２０ａに対して開閉支軸３１２ｃ，３１２ｃ回りに回動自在に支持されるようになっている。
【０１０４】
また、本実施の形態では、画像形成装置１００は、開閉カバー部材３１０の閉じ状態を保持する１又は複数（ここでは２つ）の保持部Ｍａ（Ｍ１ａ，Ｍ２ａ）を備えている。
【０１０５】
保持部Ｍａ（Ｍ１ａ，Ｍ２ａ）は、第１開閉部材３１１及び第２開閉部材３１２のうち、少なくとも開閉カバー部材３１０の開閉支軸３１２ｃ，３１２ｃが設けられた第２開閉部材３１２（ここでは第１開閉部材３１１及び第２開閉部材３１２の双方）に設けられている。
【０１０６】
詳しくは、保持部Ｍａ（Ｍ１ａ，Ｍ２ａ）は、互いに着脱可能とされた一対の保持部Ｍａ（Ｍ１ａ，Ｍ１ｂ），（Ｍ２ａ，Ｍ２ｂ）の一方の構成部材とされている。ここでは、一対の保持部Ｍａ（Ｍ１ａ，Ｍ１ｂ），（Ｍ２ａ，Ｍ２ｂ）は、マグネット部材及び該マグネット部材に吸着する鉄等の金属板（具体的には板金）とされている。この例では、一方の保持部Ｍａ（Ｍ１ａ，Ｍ２ａ）が金属板とされ、他方の保持部Ｍ１ｂ，Ｍ２ｂがマグネット部材とされている。他方の保持部Ｍ１ｂ，Ｍ２ｂは、第２装着装置本体２２０ａ（具体的には本体フレーム）において閉じた状態の開閉カバー部材３１０における一方の保持部Ｍａ（Ｍ１ａ，Ｍ２ａ）に対応する位置に設けられている。なお、一方の保持部Ｍａ（Ｍ１ａ，Ｍ２ａ）がマグネット部材とされ、他方の保持部Ｍ１ｂ，Ｍ２ｂが金属板とされていてもよい。
【０１０７】
また、第２装着装置本体２２０ａには、図示を省略した制御部の入力系に電気的に接続された開閉検知装置４００が設けられている。開閉検知装置４００は、オン又はオフされることで、開閉カバー部材３１０の開放したことを示す開放検知信号と、開閉カバー部材３１０の閉じたことを示す閉じ検知信号とを開閉検知装置４００に送ることができる。前記制御部は、開閉検知装置４００からの前記開放検知信号によって開閉カバー部材３１０が開放したことを検出する一方、開閉検知装置４００からの前記閉じ検知信号によって開閉カバー部材３１０が閉じたことを検出するようになっている。
【０１０８】
開閉検知装置４００は、外力が加わっていない時にはオフ状態を維持し、開閉カバー部材３１０における被検知部３１５によって、外力が加わっているときのみオン状態となる構成とされている。
【０１０９】
図６は、開閉検知装置４００の開閉カバー部材３１０における被検知部３１５によりオン又はオフされる状態を示す概略側面図である。
【０１１０】
図６に示すように、開閉検知装置４００は、オフ状態とオン状態とを切り換えるスイッチ部４１０と、スイッチ部４１０を作動させるアクチュエータ部４２０とを備えている。開閉検知装置４００は、開閉カバー部材３１０が閉じる方向Ｘ１に回動することで、被検知部３１５がアクチュエータ部４２０を押圧されてスイッチ部４１０が押し込まれると、オン状態となる一方、開閉カバー部材３１０が開放する方向Ｘ２に回動することで、被検知部３１５がアクチュエータ部４２０から離間してスイッチ部４１０が元に戻ると、オフ状態となる。
【０１１１】
被検知部３１５は、開閉カバー部材３１０における第２開閉部材３１２において開閉カバー部材３１０が閉じたときに開閉検知装置４００のアクチュエータ部４２０に対応する位置（アクチュエータ部４２０を押圧する位置）に固定されている。ここでは、被検知部３１５は、開閉カバー部材３１０の内面から該内面に直交する方向に突出した突起部とされている。開閉カバー部材３１０本体と被検知部３１５とは、樹脂部材からなり、一体形成されている。
【０１１２】
また、本実施の形態では、画像形成装置１００は、開閉カバー部材３１０を開放するために把持する１又は複数（ここでは２つ）の把持部Ｒａ（Ｒ１ａ，Ｒ２ａ）（図４参照）を備えている。
【０１１３】
把持部Ｒａ（Ｒ１ａ，Ｒ２ａ）は、第１開閉部材３１１及び第２開閉部材３１２のうち、少なくとも開閉カバー部材３１０の開閉支軸３１２ｃ，３１２ｃが設けられた第２開閉部材３１２（ここでは第１開閉部材３１１及び第２開閉部材３１２の双方）に設けられている。
【０１１４】
図７は、開閉カバー部材３１０における第１開閉部材３１１及び第２開閉部材３１２にそれぞれ設けられた把持部Ｒａ（Ｒ１ａ，Ｒ２ａ）を幅方向Ｙの一方側から視た概略断面図である。なお、把持部Ｒａ（Ｒ１ａ，Ｒ２ａ）は、何れも実質的に同様の構成とされているために、図７において、一つの図で示している。
【０１１５】
図７に示すように、把持部Ｒａ（Ｒ１ａ，Ｒ２ａ）は、それぞれ、第１開閉部材３１１の表面３１１ｆ及び第２開閉部材３１２の表面３１２ｆから奥行き方向Ｘの内側に凹み、さらに、上方に凹むことで形成されたＬ字状の凹み部３１０ｃ，３１０ｃと、凹み部３１０ｃによって第１開閉部材３１１の表面３１１ｆ及び第２開閉部材３１２の表面３１２ｆ部分に形成された把持壁３１０ｄ，３１０ｄとで構成されている。これにより、ユーザ等の作業者は、閉じた状態の開閉カバー部材３１０において、手指を凹み部３１０ｃ，３１０ｃに挿通すると共に把持壁３１０ｄ，３１０ｄにあてた状態で、把持壁３１０ｄ，３１０ｄを引っ張ることで、開閉カバー部材３１０を開閉支軸３１２ｃ，３１２ｃ回りに開放させることができる。
【０１１６】
また、本実施の形態では、画像形成装置１００は、第１装着装置２１０及び第２装着装置２２０のうち少なくとも一つの装着装置（ここでは第１装着装置２１０）の一部（ここでは第２空間Ｑ１２）を開閉不能に覆う固定カバー部材３２０を備えている。そして、開閉カバー部材３１０は、固定カバー部材３２０の部分３１０ｂ（図４参照）を切り欠いた構成とされている。
【０１１７】
詳しくは、固定カバー部材３２０は、平面視で四角形状（正方形状又は長方形状、この例では長方形状）とされている。開閉カバー部材３１０は、平面視で四角形状の部材において何れかの角部を固定カバー部材３２０の分だけ欠落（すなわち切り欠いた部分３１０ｂを欠落）させた形状（この例では正面視でＬ字状を半回転させた形状）とされている。
【０１１８】
また、本実施の形態では、開閉カバー部材３１０には、第２装着装置２２０における境界Ｔの位置に境界Ｔ（ここでは幅方向Ｙ）に沿って延びる凹部３１０ａが設けられている。境界Ｔは、第１装着装置２１０及び第２装着装置２２０のうち少なくとも一つの装着装置（ここでは第２装着装置２２０）を構成する複数の構成装置（ここでは第１シート収容装置２２１ａ及び第２シート収容装置２２１ｂ）の隣り合う構成装置間における少なくとも一つ（ここでは第１シート収容装置２２１ａと第２シート収容装置２２１ｂとの間）の境界とされている。
【０１１９】
詳しくは、開閉カバー部材３１０における凹部３１０ａは、第１シート収容装置２２１ａの上端と第２シート収容装置２２１ｂの下端との間において幅方向Ｙに沿って延びる境界Ｔに対応して幅方向Ｙに沿って延びている。また、開閉カバー部材３１０における凹部３１０ａは、上下方向Ｚにおける位置が開閉カバー部材３１０における第１開閉部材３１１の上下方向Ｚにおける下端位置と一致している。具体的には、凹部３１０ａの上下方向Ｚの間隔（溝の幅）は、第１開閉部材３１１と固定カバー部材３２０との隙間の距離と同一又は略同一とされている。凹部３１０ａは、第１開閉部材３１１及び第２開閉部材３１２のうち、第２開閉部材３１２のみに設けられている。なお、第１開閉部材３１１がさらに下方に延びている場合には、凹部３１０ａは、第１開閉部材３１１及び第２開閉部材３１２の双方に設けられていてもよい。
【０１２０】
また、開閉カバー部材３１０が複数の装着装置のうち少なくとも二つの装着装置を跨いで単一の開閉部材で構成されている場合には、開閉カバー部材３１０には、少なくとも二つの装着装置において隣り合う装着装置における少なくとも一つの境界の位置に該境界に沿って延びる凹部が設けられていてもよい。
【０１２１】
（本実施の形態について）
以上説明した画像形成装置１００によると、第１装着装置２１０及び第２装着装置２２０のそれぞれにおける少なくとも一部（ここでは、第１装着装置２１０の全体及び第２装着装置２２０の一部）を覆う開閉カバー部材３１０は、第１装着装置２１０及び第２装着装置２２０のそれぞれに対して一体で開閉するので、１回の開操作で開閉カバー部材３１０を同時に開放させる一方、１回の閉じ操作で開閉カバー部材３１０を同時に閉じさせることができる。従って、異常動作の解除作業及び／又は点検作業を行うにあたって、開閉カバー部材３１０の開閉操作を容易に行うことができる。
【０１２２】
また、本実施の形態では、開閉カバー部材３１０が開閉する部分は、第１装着装置２１０及び第２装着装置２２０におけるそれぞれのシート搬送路Ｓ１，Ｓ２の部分を含むことで、シート搬送路Ｓ１，Ｓ２に関連する異常動作の解除作業（具体的にはシート搬送路Ｓ２上で詰まった記録シートＰを除去する作業）及び／又は点検作業（具体的にはシート搬送路Ｓ２における搬送ローラ対（２２２，２２３）〜（２２２，２２３）等の清掃や交換）を行うにあたって、開閉カバー部材３１０の開閉操作を容易に行うことができる。
【０１２３】
また、本実施の形態では、第１装着装置２１０及び第２装着装置２２０のうち少なくとも一つの装着装置（ここでは第１装着装置２１０）は、必要に応じて用いられる画像形成装置１００の付属部材２３２を収納する第２空間Ｑ１２（収納空間の一例）を備え、開閉カバー部材３１０が開閉する部分は、第２空間Ｑ１２の部分を含むことで、別途収納場所を設けることなく、第１装着装置２１０において使用されていない、空いたスペースを利用して収納空間を設けることができ、これにより、空いたスペースの有効利用を行うことができる。
【０１２４】
また、本実施の形態では、開閉カバー部材３１０は、第１開閉部材３１１及び第２開閉部材３１２を連結部材３１４によって着脱可能に互いに連結した連結開閉部材３１３を含むことで、例えば、第２装着装置２２０を画像形成装置本体１１０とは異なる種類の画像形成装置本体（具体的には画像形成装置本体との間に中継ユニットを装着する必要のない画像形成装置本体）に装着する場合のように、たとえ第１装着装置２１０及び第２装着装置から一つの装着装置（例えば、少なくとも一つの装着装置としての第１装着装置２１０を介して画像形成装置本体１１０に装着された第２装着装置２２０）を残して第２装着装置２２０と画像形成装置本体１１０との間にある少なくとも一つの装着装置としての第１装着装置２１０が取り除かれたとしても、取り除かれた第１装着装置２１０に対応する第１開閉部材３１１を開閉カバー部材３１０から容易に取り除くことができる。これにより、取り除くべき第１装着装置２１０が取り除かれる毎に、残った第２装着装置２２０の形状に合わせて残った第２装着装置２２０を覆う開閉カバーを用意する必要がなく、取り除くべき第１開閉部材３１１が取り除かれた開閉カバー部材３１０を用いることにより、取り除くべき第１装着装置２１０が取り除かれる毎に、残った第２装着装置２２０の形状に合わせて残った第２装着装置２２０を覆うことができる。
【０１２５】
ところで、少なくとも二つの装着装置（ここでは第１装着装置２１０及び第２装着装置２２０）のうち、開閉カバー部材３１０の開閉支軸３１２ｃ，３１２ｃが設けられた開閉部材（ここでは第２開閉部材３１２）に対応する装着装置（ここでは第２装着装置２２０）を除いた少なくとも一つの装着装置（ここでは第１装着装置２１０）に、開閉検知装置４００の被検知部が設けられていると、第１装着装置２１０が取り除かれた場合に開閉カバー部材３１０の開閉を検知することができない。
【０１２６】
この点、本実施の形態では、被検知部３１５は、複数の開閉部材（第１開閉部材３１１及び第２開閉部材３１２）のうち、開閉カバー部材３１０の開閉支軸３１２ｃ，３１２ｃが設けられた第２開閉部材３１２に設けられていることで、第１装着装置２１０が取り除かれたとしても、開閉カバー部材３１０の開閉を検知することができる。しかも、第２開閉部材３１２に被検知部３１５を設けるだけなので、第２装着装置２２０に単一の開閉検知装置４００を設けるだけで済む。
【０１２７】
また、本実施の形態では、保持部Ｍａ（Ｍ１ａ，Ｍ２ａ）は、複数の開閉部材（第１開閉部材３１１及び第２開閉部材３１２）のうち、少なくとも開閉カバー部材３１０の開閉支軸３１２ｃ，３１２ｃが設けられた第２開閉部材３１２（ここでは第１開閉部材３１１及び第２開閉部材３１２の双方）に設けられていることで、第１装着装置２１０が取り除かれたとしても、開閉カバー部材３１０の閉じ状態を確実に保持することができる。
【０１２８】
また、少なくとも二つの装着装置（ここでは第１装着装置２１０及び第２装着装置２２０）のうち、開閉カバー部材３１０の開閉支軸３１２ｃ，３１２ｃが設けられた開閉部材（ここでは第２開閉部材３１２）に対応する装着装置（ここでは第２装着装置２２０）を除いた少なくとも一つの装着装置（ここでは第１装着装置２１０）に、開閉カバー部材３１０の開放するために把持する把持部が設けられていると、第１装着装置２１０が取り除かれた場合に開閉カバー部材３１０を確実に把持することができない。
【０１２９】
この点、本実施の形態では、把持部Ｒａ（Ｒ１ａ，Ｒ２ａ）は、複数の開閉部材（ここでは第１開閉部材３１１及び第２開閉部材３１２）のうち、少なくとも開閉カバー部材３１０の開閉支軸３１２ｃ，３１２ｃが設けられた第２開閉部材３１２（ここでは第１開閉部材３１１及び第２開閉部材３１２の双方）に設けられていることで、第１装着装置２１０が取り除かれたとしても、開閉カバー部材３１０を確実に把持することができる。また、複数の開閉部材（ここでは第１開閉部材３１１及び第２開閉部材３１２）のうち、開閉カバー部材３１０の開閉支軸３１２ｃ，３１２ｃが設けられた第２開閉部材３１２から最も離れた開閉部材（ここでは第１開閉部材３１１）に把持部Ｒａ（Ｒ１ａ）を設けることで開閉カバー部材３１０を開閉し易くすることができる。
【０１３０】
また、本実施の形態では、開閉カバー部材３１０には、複数の装着装置（ここでは第１装着装置２１０及び第２装着装置２２０）のうち少なくとも一つの装着装置（ここでは第２装着装置２２０）を構成する複数の構成装置（ここでは第１シート収容装置２２１ａ及び第２シート収容装置２２１ｂ）の隣り合う構成装置間（ここでは第１シート収容装置２２１ａと第２シート収容装置２２１ｂとの間）における少なくとも一つの境界Ｔの位置に境界Ｔに沿って延びる凹部３１０ａが設けられていることで、凹部３１０ａによって、第２装着装置２２０を構成する第１シート収容装置２２１ａ及び第２シート収容装置２２１ｂの隣り合う第１シート収容装置２２１ａと第２シート収容装置２２１ｂとの間における少なくとも一つの境界Ｔに対して見栄えをよくすることができる。
【０１３１】
また、開閉カバー部材３１０が複数の装着装置のうち少なくとも二つの装着装置を跨いで単一の開閉部材で構成されている場合には、開閉カバー部材３１０には、少なくとも二つの装着装置において隣り合う装着装置における少なくとも一つの境界の位置に該境界に沿って延びる凹部が設けられることで、該凹部によって、該少なくとも二つの装着装置において隣り合う装着装置間における少なくとも一つの境界に対して見栄えをよくすることができる。
【０１３２】
ところで、ユーザ等の作業者は、画像形成を行うにあたっては、通常は、画像形成装置本体１１０の近くにいることが多い。
【０１３３】
この点、本実施の形態では、開閉カバー部材３１０の開閉支軸３１２ｃ，３１２ｃが開閉操作により開閉カバー部材３１０の画像形成装置本体１１０側が開閉するように設けられているので、画像形成を行うにあたって画像形成装置本体１１０の近くにいることが多い作業者に対して開閉操作を容易に行わせることができる。しかも、少なくとも一つの装着装置（ここでは第１装着装置２１０）を介して画像形成装置本体１１０に装着される装着装置（ここでは第２装着装置２２０）と画像形成装置本体１１０との間の装着装置（ここでは第１装着装置２１０）に対して開閉カバー部材３１０の開閉支軸３１２ｃ，３１２ｃを設ける必要がないので、第１装着装置２１０において開閉カバー部材３１０の開閉支軸３１２ｃ，３１２ｃを設けるための支柱をなくすことができ、それだけ、異常動作の解除作業及び／又は点検作業の作業性を向上させることができる。
【０１３４】
また、本実施の形態において、複数の装着装置（ここでは第１装着装置２１０及び第２装着装置２２０）のうち少なくとも一つの装着装置（ここでは第１装着装置２１０）の一部を開閉不能に覆う固定カバー部材３２０を備え、開閉カバー部材３１０は、固定カバー部材の部分を切り欠いた構成とされていることで、固定カバー部材３２０と開閉カバー部材３１０とを外見上一つのカバー部材として見せることができる。具体的には、外装カバー部材として使用される開閉カバー部材３１０と共に、固定カバー部材３２０を外装カバー部材として使用することができる。
【０１３５】
なお、本実施の形態では、開閉カバー部材３１０は、第１開閉部材３１１と第２開閉部材３１２とで分割できるようになっているが、単一の開閉カバー部材であってもよい。こうすることで、開閉カバー部材３１０を構造簡単でかつ安価な開閉カバー部材とすることができる。
【０１３６】
また、本実施の形態では、開閉カバー部材３１０の開閉支軸３１２ｃ，３１２ｃは、幅方向Ｙにおける一方側（画像形成装置本体１１０とは反対側）の端部に設けられているが、幅方向Ｙにおける他方側（画像形成装置本体１１０側）の端部に設けられていてもよい（図８参照）。
【０１３７】
また、本実施の形態では、開閉カバー部材３１０は、固定カバー部材３２０の部分３１０ｂ（図４参照）を切り欠いた構成とされているが、固定カバー部材３２０を内カバーとして、四角形状とされていてもよい（図９参照）。そして、四角形状とされた開閉カバー部材３１０の開閉支軸３１２ｃ，３１２ｃが幅方向Ｙの一方側（画像形成装置本体１１０とは反対側）の端部（図９（ａ）参照）に設けられていてもよいし、幅方向Ｙの他方側（画像形成装置本体１１０側）の端部（図９（ｂ）参照）に設けられていてもよい。
【０１３８】
また、本実施の形態では、開閉カバー部材３１０に覆われる装着装置を中継装置及び大容量給紙装置としたが、例えば、それには限定されないが、フィニッシャー装置、デカーラ装置、パンチ装置、インサータ装置、ステープラ装置などの装着装置としてもよい。
【符号の説明】
【０１３９】
１００    画像形成装置
１１０    画像形成装置本体
２１０    第１装着装置（装着装置の一例）
２１０ａ  第１装着装置本体
２２０    第２装着装置（装着装置の一例）
２２０ａ  第２装着装置本体
２２１ａ  第１シート収容装置（構成装置の一例）
２２１ｂ  第２シート収容装置（構成装置の一例）
２３０    手差し給紙装置
２３２    付属部材
３１０    開閉カバー部材
３１０ａ  凹部
３１１    第１開閉部材（開閉部材の一例）
３１２    第２開閉部材（開閉部材の一例）
３１２ｃ  開閉支軸
３１３    連結開閉部材
３１４    連結部材
３１５    被検知部
３２０    固定カバー部材
４００    開閉検知装置
Ｍａ      保持部
Ｑ１１    第１空間
Ｑ１２    第２空間（収納空間の一例）
Ｑ２１    第１空間
Ｑ２２    第２空間
Ｒａ      把持部
Ｓ１      シート搬送路
Ｓ２      シート搬送路
Ｓ２１    第１シート搬送路
Ｓ２２    第２シート搬送路
Ｓ２３    第３シート搬送路
Ｓ３      シート搬送路
Ｔ        境界
【図１】
0005850768.tif 000002
【図２】
0005850768.tif 000003
【図３】
0005850768.tif 000004
【図４】
0005850768.tif 000005
【図５】
0005850768.tif 000006
【図６】
0005850768.tif 000007
【図７】
0005850768.tif 000008
【図８】
0005850768.tif 000009
【図９】
0005850768.tif 000010